(57)【要約】【課題】車輪により移動させても変形が生じにくい防音ハウス及び防音ハウスの移動方法を提供する。【解決手段】防音ハウスを移動する際には、防音ハウス１の移動方向（矢印４３方向）左右両側の土台３間を連結する、左右両側の土台３間の幅保持用の連結部材５５を取り付ける。連結部材５５の土台３への取付位置は左右両側の土台３同士の対向（正対）位置である。次に、モータ４２を駆動して車輪４１を回転させ、防音ハウス１を矢印４３方向の目的の向きへ目的の距離だけ移動する。次に、連結部材５５の土台３に対する連結を解除する。【選択図】図１１
2014070397.tif 000002
【特許請求の範囲】
【請求項１】
土台、前記土台に予め定められた間隔を空けて複数本固定されている柱、及び前記柱に設けられている梁を有している躯体と、
前記躯体に設けられた防音パネルと、
前記土台の下に設けられた複数個の車輪と、
前記躯体及び前記防音パネルで構成される壁及び天井の一部を構成し前記躯体に連結されている第１のブレースと、
前記車輪による前記躯体の移動方向を長さ方向とする左右両側の土台間を連結して、当該土台への取付位置は前記左右両側の土台の対向位置であり、着脱自在である、前記左右両側の土台間の幅保持用の連結部材と、
を備えている防音ハウス。
【請求項２】
前記左右両側の土台間を連結し、当該土台への取付位置は前記左右両側では前記移動方向にずれていて、複数本が長さ方向を交差させてそれぞれ設けられ、着脱自在な第２のブレースをさらに備えている請求項１に記載の防音ハウス。
【請求項３】
前記移動方向の左右両側の躯体間を連結し、当該躯体への取付位置は前記左右両側の躯体では前記移動方向にずれていて且つ一端は前記躯体の上側で他端が前記躯体の下側であり、複数本が長さ方向を交差させてそれぞれ設けられ、着脱自在な第３のブレースをさらに備えている請求項１に記載の防音ハウス。
【請求項４】
前記左右両側の土台間を連結し、当該土台への取付位置は前記左右両側では前記移動方向にずれていて、複数本が長さ方向を交差させてそれぞれ設けられ、着脱自在な第２のブレースと、
前記移動方向の左右両側の躯体間を連結し、当該躯体への取付位置は前記左右両側の躯体では前記移動方向にずれていて且つ一端は前記躯体の上側で他端が前記躯体の下側であり、複数本が長さ方向を交差させてそれぞれ設けられ、着脱自在な第３のブレースと、
をさらに備えている請求項１に記載の防音ハウス。
【請求項５】
土台、前記土台に予め定められた間隔を空けて複数本固定されている柱、及び前記柱に設けられている梁を有している躯体と、前記躯体に設けられた防音パネルと、前記土台の下に設けられた複数個の車輪と、前記躯体及び前記防音パネルで構成される壁及び天井の一部を構成し前記躯体に連結されている第１のブレースと、を備えている防音ハウスに対して、前記車輪による前記躯体の移動方向の左右両側の土台間を当該土台間の幅保持用の連結部材で連結して、前記土台への取付位置は前記左右両側の土台の対向位置とする第１のステップと、
前記第１のステップの後、前記車輪により前記防音ハウスを目的の位置に移動する第２のステップと、
前記第２のステップの後、前記連結部材による前記左右両側の壁の土台間の連結を解除する第３のステップと、
を備えている防音ハウスの移動方法。
【請求項６】
前記第１のステップでは、前記左右両側の土台間を第２のブレースで連結し、当該第２のブレースの前記土台への取付位置は前記左右両側の土台では前記移動方向にずれるようにし、当該第２のブレースは複数本が長さ方向が交差するようにし、
前記第３のステップでは、前記第２のブレースによる前記左右両側の土台間の連結を解除する、
請求項５に記載の防音ハウスの移動方法。
【請求項７】
前記第１のステップでは、前記躯体の移動方向の左右両側の躯体間を第３のブレースで連結し、当該躯体への取付位置は前記左右両側では前記移動方向にずれていて且つ一端は前記躯体の上側で他端が前記躯体の下側であるようにして、前記第３のブレースは複数本が互いに交差するようにし、
前記第３のステップでは、前記第３のブレースによる前記左右両側の躯体間の連結を解除する、
請求項５に記載の防音ハウスの移動方法。
【請求項８】
前記第１のステップでは、前記左右両側の土台間を第２のブレースで連結し、当該第２のブレースの前記土台への取付位置は前記左右両側の土台では前記移動方向にずれるようにし、当該第２のブレースは複数本が長さ方向が交差するようにし、また、前記躯体の移動方向の左右両側の躯体間を第３のブレースで連結して、当該躯体への取付位置は前記左右両側では前記移動方向にずれていて且つ一端は前記躯体の上側で他端が前記躯体の下側であるようにし、前記第３のブレースは複数本が互いに交差するようにし、
前記第３のステップでは、前記第２及び第３のブレースによる前記左右両側の躯体間の連結を解除する、
請求項５に記載の防音ハウスの移動方法。
【発明の詳細な説明】
【技術分野】
【０００１】
本発明は、土木工事現場等で防音のために使用される防音ハウス及び防音ハウスの移動方法に関する。
【背景技術】
【０００２】
土木工事で立坑等を掘る場合には、掘削機、クレーン、ダンプカーなどの機器を使用して作業するため騒音が発生する。そこで、そのような騒音を防止し、近隣に迷惑をかけないようにするため、工事現場の周囲を防音ハウスで覆う技術が知られている。防音ハウスは防音パネルを備えた仮設の建屋である。
防音ハウスに関する技術として、特許文献１が知られている。かかる技術は、防音ハウスに車輪を取り付けて移動可能としたものである。
【先行技術文献】
【特許文献】
【０００３】
【特許文献１】実用新案登録第３０２４１６３号公報
【発明の概要】
【発明が解決しようとする課題】
【０００４】
掘削工事で地下鉄駅や高速道路の出入口部分を建設する場合などでは、例えば地表面に沿った長さが２００ｍ程度の長大な穴を掘っていく必要がある。このような場合には、その２００ｍ程度の穴を掘る予定の領域の全体を長期間に亘り防音ハウスで覆うことになる。
しかし、これだと防音ハウスが大きなものとなり、防音ハウスの建設に多大なコストがかかる。また、大きな仮設建造物の存在は近隣の人々にとっては圧迫感を与え、目障りなものとなる。
【０００５】
一方、掘削範囲が長大であったとしても、騒音を発する領域は掘削機、クレーン、ダンプカーなどの機器を使用し路面の覆工板を外して今現在工事を行っている範囲に限定される。
そこで、比較的小型の防音ハウスの建設にとどめ、この防音ハウスに特許文献１に示されているような車輪を取り付けて移動可能とすればよい。これにより、今現在掘削工事を行っている領域のみを防音ハウスで覆い、掘削工事を行なう領域を移動するときは、防音ハウスも移動するようにすれば、防音ハウスの建設コストも抑制でき、近隣の人々の目障りにもならない。
【０００６】
しかしながら、防音ハウスは土台、柱、梁からなる鉄骨製の躯体に防音パネルを取り付けた構造である。そして、防音ハウスの左右にそれぞれ複数個の車輪を設けている。このような防音ハウスは、壁、天井に変形防止用のブレースを設けてはいるが、前記のような構造であるため、車輪を使って移動する際に左右の車輪がちぐはぐに動くと、躯体全体に歪みを生じ、全体形状、及び躯体を構成する壁や天井の面自体にも変形が発生し、さらには取り付けたパネルの変形や脱落などの不具合が生じる。
本発明の目的は、車輪により移動させても変形が生じにくい防音ハウス及び防音ハウスの移動方法を提供することである。
【課題を解決するための手段】
【０００７】
本発明の一形態は、土台、前記土台に予め定められた間隔を空けて複数本固定されている柱、及び前記柱に設けられている梁を有している躯体と、前記躯体に設けられた防音パネルと、前記土台の下に設けられた複数個の車輪と、前記躯体及び前記防音パネルで構成される壁及び天井の一部を構成し前記躯体に連結されている第１のブレースと、前記車輪による前記躯体の移動方向を長さ方向とする左右両側の土台間を連結して、当該土台への取付位置は前記左右両側の土台の対向位置であり、着脱自在である、前記左右両側の土台間の幅保持用の連結部材と、を備えている防音ハウスである。
【０００８】
この場合に、前記左右両側の土台間を連結し、当該土台への取付位置は前記左右両側では前記移動方向にずれていて、複数本が長さ方向を交差させてそれぞれ設けられ、着脱自在な第２のブレースをさらに備えているようにしてもよい。
【０００９】
あるいは、前記移動方向の左右両側の躯体間を連結し、当該躯体への取付位置は前記左右両側の躯体では前記移動方向にずれていて且つ一端は前記躯体の上側で他端が前記躯体の下側であり、複数本が長さ方向を交差させてそれぞれ設けられ、着脱自在な第３のブレースをさらに備えているようにしてもよい。
【００１０】
あるいは、前記左右両側の土台間を連結し、当該土台への取付位置は前記左右両側では前記移動方向にずれていて、複数本が長さ方向を交差させてそれぞれ設けられ、着脱自在な第２のブレースと、前記移動方向の左右両側の躯体間を連結し、当該躯体への取付位置は前記左右両側の躯体では前記移動方向にずれていて且つ一端は前記躯体の上側で他端が前記躯体の下側であり、複数本が長さ方向を交差させてそれぞれ設けられ、着脱自在な第３のブレースと、をさらに備えているようにしてもよい。
【００１１】
別の本発明の一形態は、土台、前記土台に予め定められた間隔を空けて複数本固定されている柱、及び前記柱に設けられている梁を有している躯体と、前記躯体に設けられた防音パネルと、前記土台の下に設けられた複数個の車輪と、前記躯体及び前記防音パネルで構成される壁及び天井の一部を構成し前記躯体に連結されている第１のブレースと、を備えている防音ハウスに対して、前記車輪による前記躯体の移動方向の左右両側の土台間を当該土台間の幅保持用の連結部材で連結して、前記土台への取付位置は前記左右両側の土台の対向位置とする第１のステップと、前記第１のステップの後、前記車輪により前記防音ハウスを目的の位置に移動する第２のステップと、前記第２のステップの後、前記連結部材による前記左右両側の壁の土台間の連結を解除する第３のステップと、を備えている防音ハウスの移動方法である。
【００１２】
この場合に、前記第１のステップでは、前記左右両側の土台間を第２のブレースで連結し、当該第２のブレースの前記土台への取付位置は前記左右両側の土台では前記移動方向にずれるようにし、当該第２のブレースは複数本が長さ方向が交差するようにし、前記第３のステップでは、前記第２のブレースによる前記左右両側の土台間の連結を解除する、ようにしてもよい。
【００１３】
あるいは、前記第１のステップでは、前記躯体の移動方向の左右両側の躯体間を第３のブレースで連結し、当該躯体への取付位置は前記左右両側では前記移動方向にずれていて且つ一端は前記躯体の上側で他端が前記躯体の下側であるようにして、前記第３のブレースは複数本が互いに交差するようにし、前記第３のステップでは、前記第３のブレースによる前記左右両側の躯体間の連結を解除する、ようにしてもよい。
【００１４】
あるいは、前記第１のステップでは、前記左右両側の土台間を第２のブレースで連結し、当該第２のブレースの前記土台への取付位置は前記左右両側の土台では前記移動方向にずれるようにし、当該第２のブレースは複数本が長さ方向が交差するようにし、また、前記躯体の移動方向の左右両側の躯体間を第３のブレースで連結して、当該躯体への取付位置は前記左右両側では前記移動方向にずれていて且つ一端は前記躯体の上側で他端が前記躯体の下側であるようにし、前記第３のブレースは複数本が互いに交差するようにし、前記第３のステップでは、前記第２及び第３のブレースによる前記左右両側の躯体間の連結を解除する、ようにしてもよい。
【発明の効果】
【００１５】
本発明の一形態によれば、車輪により移動させても変形が生じにくい防音ハウス及び防音ハウスの移動方法を提供することができる。
【図面の簡単な説明】
【００１６】
【図１】本発明の一実施形態にかかる防音ハウスの正面図である。
【図２】本発明の一実施形態にかかる防音ハウスの右側面図である。
【図３】本発明の一実施形態にかかる防音ハウスの左側面図である。
【図４】本発明の一実施形態にかかる防音ハウスの背面図である。
【図５】本発明の一実施形態にかかる防音ハウスの縦断面図である。
【図６】本発明の一実施形態にかかる防音ハウスの土台部分の平面図である。
【図７】本発明の一実施形態にかかる防音ハウスの天井部分の平面図である。
【図８】本発明の一実施形態にかかる防音ハウスの車輪及びモータ部分の縦断面図である。
【図９】本発明の一実施形態にかかる防音ハウスの移動方法について説明する防音ハウスの土台部分の平面図である。
【図１０】本発明の一実施形態にかかる防音ハウスの移動方法について説明する防音ハウスの縦断面図である。
【図１１】本発明の一実施形態にかかる防音ハウスの移動方法について説明する躯体の斜視図である。
【図１２】本発明の一実施形態にかかる防音ハウスの移動方法について説明するブレースの取り付け位置の一例の説明図である。
【図１３】本発明の一実施形態にかかる防音ハウスの移動方法について説明するブレースの取り付け位置の一例の説明図である。
【図１４】本発明の一実施形態にかかる防音ハウスの移動方法について説明するフローチャートである。
【図１５】本発明の一実施形態にかかる防音ハウスの移動方法を用いた土木作業の実際を説明する作業現場の縦断面図である。
【発明を実施するための形態】
【００１７】
以下、本発明の一実施の形態について図面を参照して説明する。
図１は、本実施形態にかかる防音ハウス１の正面図、図２は同右側面図、図３は同左側面図、図４は同背面図、図５は同縦断面図、図６は後述の土台３部分の平面図、図７は後述の天井１５部分の平面図である。
【００１８】
この防音ハウス１は、鉄骨製の躯体２を備えている。躯体２は、土台３と、土台３上に予め定められた間隔を空けて複数本固定支持されている柱４と、柱４上に予め定められた間隔を空けて複数本設けられている梁５とから構成されている。また、躯体２には、当該躯体２の変形防止用のブレース１６が設けられている。このブレース１６は、防音ハウス１の壁１１〜１４、天井１５の一部を構成する、第１のブレースとなるものである。
【００１９】
壁１１，１２の上部には防音パネル１７が躯体２に嵌め込まれている。壁１１，１２の下部には外側に吸音パネル１８、内側に防音パネル１７が躯体２に嵌め込まれている（図５参照）。また、壁１１，１２の上部には換気用のダクト２１が設けられている。壁１３，１４の上部には防音パネル１７が躯体２に嵌め込まれている。また、壁１３，１４の下部には、作業員、掘削機、クレーン、ダンプカーなどが出入りするためのオーバードア２２が設けられている。壁１３のオーバードア２２の周囲には、複数の防音ハウス１を接続して使用する場合、騒音が外部に漏れないようにパッキンするためのドッグシェルター２３が設けられている。
【００２０】
躯体２の天井１５にも防音パネル１７が嵌め込まれている。天井１５における梁５は、大梁３１、小梁３２、耐風梁上段３３からなる。符号３４は耐風梁下段、符号３５は合掌、符号３６は屋根折板である。
壁１１，１２に対応した土台３の下部には、あらかじめ定められた間隔で複数個、この例で１４個の車輪４１が設けられている。そして、この例で１４個中の１０個の車輪４１には当該車輪４１を駆動するモータ４２が連結されている。
【００２１】
図８は車輪４１及びモータ４２部分の縦断面図である。このモータ４２は図示しない発電機の駆動電力により駆動される。車輪４１はモータ４２の駆動により回転して矢印４３方向に移動する（図１、図４、図６、図７等参照）。この際、車輪４１は軌条４４の上を移動する。
【００２２】
次に、防音ハウス１の移動方法について説明する。
図９は、防音ハウス１の移動方法について説明する防音ハウス１の土台部分の平面図、図１０は同縦断面図、図１１は防音ハウス１の移動方法について説明する躯体２の斜視図である。図１４は、防音ハウス１の移動方法について説明するフローチャートである。
防音ハウス１を移動するためには、まず、連結部材５５と、第２のブレースとなるブレース５１と、第３のブレースとなるブレース５２とを躯体２に取り付ける（ステップＳ１）。
【００２３】
すなわち、防音ハウス１の移動方向（矢印４３方向）の左右両側（壁１１と１２側）の土台３間を連結する、左右両側の土台３間の幅保持用の連結部材５５を取り付ける。連結部材５５の土台３への取付位置は左右両側の土台３同士の対向（正対）位置である。この例では、躯体２の長手方向の両端部でそれぞれ連結されている。土台３へ連結部材５５の取付はボルトの締結等により行い、連結部材５５は土台３に対して着脱自在である。この例においては、連結部材５５は、防音ハウス１の移動方向（矢印４３方向）の両端部にそれぞれ連結される。
【００２４】
また、ブレース５１は、車輪４１による防音ハウス１（躯体２）の移動方向（矢印４３方向）を面方向とする左右両側の壁１１，１２の下部にそれぞれ位置している土台３間を連結する。この場合の土台３へのブレース５１の取付位置は左右両側の土台３間では防音ハウス１の移動方向（矢印４３方向）にずれている。この例では、防音ハウス１の長手方向の両端側においてそれぞれ２本ずつのブレース５１がその長さ方向が互いに交差するように取り付けられている（それぞれ３本以上であってもよい）。土台３へのブレース５１の取付けはボルトの締結等により行い、ブレース５１は土台３に対して着脱自在である。
【００２５】
ブレース５２は、防音ハウス１の移動方向（矢印４３方向）の左右両側（壁１１と１２側）の躯体２間を連結する。当該躯体２へのブレース５２の取付位置は、左右両側の躯体２間では防音ハウス１の移動方向（矢印４３方向）にずれていて、且つブレース５２の一端は躯体２の上側で、他端が躯体２の下側である。図１２、図１３に示すように、この例では、ブレース５２の一端の取り付け位置５３を柱４の上端部側として、他端の取り付け位置５４を土台３としている。しかし、本発明は当該取り付け位置に限定されるものではない。また、この例では、防音ハウス１の長手方向の両端側においてそれぞれ２本ずつのブレース５２がその長さ方向が互いに交差するように取り付けられている（それぞれ３本以上であってもよい）。躯体２へのブレース５２の取付けはボルトの締結等により行い、ブレース５２は躯体２に対して着脱自在である。
【００２６】
以上のようにして、ブレース５１、ブレース５２、連結部材５５の取り付け作業（ステップＳ１）を完了したら、図示しない発電機で電力を生成し、この電力でモータ４２を駆動して車輪４１を回転させ、防音ハウス１を矢印４３方向の目的の向きへ目的の距離だけ移動する（ステップＳ２）。
ステップＳ２の後、ブレース５１、ブレース５２、連結部材５５の躯体２に対する連結を解除する（ステップＳ３）。この場合、連結部材５５は完全に取り外してもよいが、ブレース５１、ブレース５２、連結部材５５の片側の連結部分のみを取り外すだけとして、ブレース５１、ブレース５２、連結部材５５を土木作業の邪魔にならない位置に移動させておくだけとしても良い。このように、防音ハウス１の移動方法を実施する場合は、防音ハウス１の構造も、一時的にではあるが、ブレース５１、ブレース５２、連結部材５５が躯体２に連結されたものとなる。
【００２７】
図１５は、前述の防音ハウス１の移動方法を用いた土木作業の実際を説明する作業現場の縦断面図である。この土木作業は、大きな長穴６１を掘る作業であり、この長穴６１の掘削作業は地表面６４から符号６２の深さまで支保工７０を取りつけながら徐々に掘り下げていくものである。図１５では、掘削機７１、クレーン７２、ダンプカー７３を入れて領域６３で掘削作業を現在行っている。そこで、防音ハウス１は、この領域６３のみを囲うように設けられている。そして、領域６３での掘削作業が終了すれば、防音ハウス１を次の作業すべき領域に移動して（矢印４３方向）、その防音ハウス１内で次の掘削作業を行う。
【００２８】
以上説明した防音ハウス１及び防音ハウス１の移動方法によれば、防音ハウス１は現在掘削作業を行っている領域のみを囲えばよく、作業領域の移動とともに防音ハウス１も移動するので、掘削作業を行うべき全領域を囲う必要がない。よって、防音ハウスの建設コストを抑制でき、近隣の人々に圧迫感を与えることもなく、目障りにもなりにくい。
【００２９】
また、防音ハウス１を移動させる際には連結部材５５を土台３に連結するので、右側の壁１１と左側の壁１２とで車輪４１がちぐはぐに動きそうになっても、両者の間隔を維持し、防音ハウス１の変形を抑制することができる。
また、ブレース５１も土台３に連結するので、右側の壁１１と左側の壁１２とで車輪４１がちぐはぐに動きそうになっても、防音ハウス１の下部の変形を抑制することができる。
さらに、防音ハウス１を移動させる際にはブレース５２を躯体２に連結するので、右側の壁１１と左側の壁１２とで車輪４１がちぐはぐに動きそうになっても、防音ハウス１の変形をさらに抑制することができる。
【符号の説明】
【００３０】
１    防音ハウス
２    躯体
３    土台
４    柱
５    梁
１１  壁
１２  壁
１５  天井
１６  ブレース
１７  防音パネル
４１  車輪
５１  ブレース
５２  ブレース
５５  連結部材
【図１】
2014070397.tif 000003
【図２】
2014070397.tif 000004
【図３】
2014070397.tif 000005
【図４】
2014070397.tif 000006
【図５】
2014070397.tif 000007
【図６】
2014070397.tif 000008
【図７】
2014070397.tif 000009
【図８】
2014070397.tif 000010
【図９】
2014070397.tif 000011
【図１０】
2014070397.tif 000012
【図１１】
2014070397.tif 000013
【図１２】
2014070397.tif 000014
【図１３】
2014070397.tif 000015
【図１４】
2014070397.tif 000016
【図１５】
2014070397.tif 000017